(57)【要約】【課題】ハンドル部の固定部材のネジ部が完全に退避していない状態で装置本体からハンドル部を取り外そうとした場合でも、装置本体やハンドル部が変形することなく容易にハンドル部を取り外すことができる撮像装置を提供する。【解決手段】撮像装置は、装置本体１００と、装置本体１００に螺合されるネジ部３１９が軸方向に移動が可能に設けられた固定部材３０８を有し、装置本体１００に対して着脱可能に固定されるハンドル部３００と、を備える。装置本体１００は、固定部材３０８のネジ部３１９が挿通する挿通穴１１３と、挿通穴１１３を挿通したネジ部が螺合３１９されるネジ穴１１２ａとを有し、装置本体１００には、ネジ部３１９の螺合が解除された状態で、ハンドル部３００を装置本体１００に対して光軸方向に移動させて装置本体１００から取り外す際に、ネジ部３１９の先端を前記取り外す方向に案内する溝部１１４が挿通穴１１３から光軸方向に沿って延設されている。【選択図】図１７
2019008054.tif 000002
【特許請求の範囲】
【請求項１】
装置本体と、前記装置本体に螺合されるネジ部が軸方向に移動が可能に設けられた固定部材を有し、前記装置本体に対して着脱可能に固定されるハンドル部と、を備え、
前記装置本体は、前記固定部材のネジ部が挿通する挿通穴と、前記挿通穴を挿通した前記ネジ部が螺合されるネジ穴とを有し、
前記装置本体には、前記ネジ部の螺合が解除された状態で、前記ハンドル部を前記装置本体に対して光軸方向に移動させて前記装置本体から取り外す際に、前記ネジ部の先端を前記取り外す方向に案内する溝部が前記挿通穴から光軸方向に沿って延設されていることを特徴とする撮像装置。
【請求項２】
前記溝部の延設端には、前記ハンドル部の側に向けて傾斜または湾曲する傾斜面または曲面部が形成されていることを特徴とする請求項１に記載の撮像装置。
【請求項３】
前記ハンドル部に設けられた前記固定部材は、前記ネジ部の螺合が解除された状態で光軸方向に揺動可能に保持されていることを特徴とする請求項１又は２に記載の撮像装置。
【請求項４】
前記固定部材を前記挿通穴から離れる方向に付勢する付勢部材を備えることを特徴とする請求項１乃至３のいずれか一項に記載の撮像装置。
【請求項５】
前記ハンドル部には、外部アクセサリが装着されるアクセサリシューが前記ハンドル部の外装の面との間に空間を形成した状態で設けられ、前記アクセサリシューの周囲の壁部と前記ハンドル部との間には、前記空間に連通する切り欠き部が設けられていることを特徴とする請求項１乃至４のいずれか一項に記載の撮像装置。
【請求項６】
前記切り欠き部は、前記アクセサリシューの前記外部アクセサリの装着方向と直交する幅方向の両側にそれぞれ設けられていることを特徴とする請求項５に記載の撮像装置。
【請求項７】
前記ハンドル部には、前記アクセサリシューの四隅の角部を受ける受け部が設けられていることを特徴とする請求項５又は６に記載の撮像装置。
【発明の詳細な説明】
【技術分野】
【０００１】
本発明は、ハンドル部を備える例えばデジタルビデオカメラ等の撮像装置に関する。
【背景技術】
【０００２】
デジタルビデオカメラ等の撮像装置では、撮影用及び移動・搬送用に撮影者が把持するためのハンドル部が装置本体に対して着脱可能に固定されているものがある。
【０００３】
従来、ハンドル部側の固定部材に設けたネジ部を装置本体側の固定部材に形成したネジ穴に螺合することで、ハンドル部を装置本体に対して着脱可能に固定する技術が提案されている（特許文献１）。なお、ハンドル部は、拡張性を確保するための外部アクセサリ取り付け部を備えるものがある。
【先行技術文献】
【特許文献】
【０００４】
【特許文献１】特許第５６５６６１４号
【発明の概要】
【発明が解決しようとする課題】
【０００５】
上記特許文献１では、装置本体からハンドル部を取り外す際には、ハンドル部の固定部材のネジ部を緩めて装置本体から離れる方向に軸方向に引き上げ、装置本体の固定部材のネジ穴との螺合状態を解除する。しかし、ハンドル部の固定部材のネジ部が装置本体から離れる方向に完全に退避していない場合等には、ハンドル部を取り外そうとしても、ネジ部が装置本体に引っ掛かってしまう。この状態で無理にハンドル部を取り外すと、装置本体やハンドル部が変形するという問題がある。
【０００６】
そこで、本発明は、ハンドル部の固定部材のネジ部が完全に退避していない状態で装置本体からハンドル部を取り外そうとした場合でも、装置本体やハンドル部が変形することなく容易にハンドル部を取り外すことができる撮像装置を提供することを目的とする。  
【課題を解決するための手段】
【０００７】
上記目的を達成するために、本発明の撮像装置は、装置本体と、前記装置本体に螺合されるネジ部が軸方向に移動が可能に設けられた固定部材を有し、前記装置本体に対して着脱可能に固定されるハンドル部と、を備え、前記装置本体は、前記固定部材のネジ部が挿通する挿通穴と、前記挿通穴を挿通した前記ネジ部が螺合されるネジ穴とを有し、前記装置本体には、前記ネジ部の螺合が解除された状態で、前記ハンドル部を前記装置本体に対して光軸方向に移動させて前記装置本体から取り外す際に、前記ネジ部の先端を前記取り外す方向に案内する溝部が前記挿通穴から光軸方向に沿って延設されていることを特徴とする。
【発明の効果】
【０００８】
本発明によれば、ハンドル部の固定部材のネジ部が完全に退避していない状態で装置本体からハンドル部を取り外そうとした場合でも、装置本体やハンドル部が変形することなく容易にハンドル部を取り外すことができる。
【図面の簡単な説明】
【０００９】
【図１】本発明の撮像装置の実施形態の一例であるデジタルビデオカメラを正面側の右斜め上方向から見た斜視図である。
【図２】図１に示すデジタルビデオカメラを正面側の左斜め上方向から見た斜視図である。
【図３】図１に示すデジタルビデオカメラのカメラ本体からハンドル部を取り外した状態を上面側から見た図である。
【図４】図３のＡ−Ａ線断面図である。
【図５】ハンドル部を正面側の右斜め上方から見た斜視図である。
【図６】ハンドル部を正面側の左斜め上方から見た斜視図である。
【図７】ハンドル部の内部構造を示す斜視図である。
【図８】背面側固定部材周辺の部分拡大図である。
【図９】図８の要部断面図である。
【図１０】（ａ）は背面側固定部材の上面側から見た斜視図、（ｂ）は背面側固定部材の下面側から見た斜視図である。
【図１１】背面側カバーの斜視図である。
【図１２】下側カバーと背面側カバーを組み合わせる前の状態を示す斜視図である。
【図１３】下側カバーと背面側カバーを組み合わせた状態を示す斜視図である。
【図１４】図１３の要部断面図である。
【図１５】ハンドル部をカメラ本体に取り付けた状態の要部断面図である。
【図１６】ハンドル部のカメラ本体の背面側の部分を底面側から見た図である。
【図１７】カメラ本体からハンドル部を取り外す方法を説明する要部断面図である。
【図１８】カメラ本体からハンドル部を取り外す方法を説明する要部断面図である。
【図１９】ハンドル部に取り付けられた外部アクセサリ取り付け部の上面図である。
【図２０】ハンドル部から外部アクセサリ取り付け部を取り外した状態を示す上面図である。
【図２１】図１９のＣ−Ｃ線断面図である。
【発明を実施するための形態】
【００１０】
以下、図面を参照して、本発明の実施形態の一例を説明する。
【００１１】
図１は、本発明の撮像装置の実施形態の一例であるデジタルビデオカメラを正面側（被写体側）の右斜め上方向から見た斜視図である。図２は、図１に示すデジタルビデオカメラを正面側の左斜め上方向から見た斜視図である。図３は、図１に示すデジタルビデオカメラのカメラ本体からハンドル部を取り外した状態を上面側から見た図である。図４は、図３のＡ−Ａ線断面図である。
【００１２】
本実施形態のデジタルビデオカメラは、図１及び図２に示すように、カメラ本体１００の正面側（被写体側）にレンズ部２００が配置されている。レンズ部２００の外周部には、回転操作することでフォーカス動作が可能な操作リング１０３が設けられている。カメラ本体１００の正面側から見て右側の側面部には、ＬＣＤ等から構成された表示ユニット１０１が開閉可能に支持されている。カメラ本体１００は、本発明の装置本体の一例に相当する。
【００１３】
カメラ本体１００の正面側から見て左側の側面部の上部には、ズームキー１０４が設けられ、同側面部の正面側には、メイン吸気口１０８ａ，１０８ｂが設けられ、同側面部の背面側には、排気口１０９が設けられている。カメラ本体１００内部で発生した熱は、メイン吸気口１０８ａ，１０８ｂから吸気した空気をカメラ本体１００内に設けた送風ダクト（不図示）を通過し、排気口１０９から排気される所定の排熱流路が形成されている。空気の吸気／排気を行なう動力源として、カメラ本体１００には、冷却ファン（不図示）が設けられている。
【００１４】
カメラ本体１００の上面部には、入力された音声信号を電気信号に変換するマイク部１１０が配置され、マイク部１１０は、カメラ本体１００の上面部の外装を形成する上面カバーユニット１０５の一部に設けられている。また、カメラ本体１００の上面部には、ハンドル部３００が着脱可能に取り付けられている。
【００１５】
図３及び図４に示すように、カメラ本体１００の上面部の背面側には、ハンドル部３００を固定する本体側当接面１１１が設けられている。本体側当接面１１１には、本体側固定部材１１２まで貫通する本体側挿通穴１１３が形成され、本体側挿通穴１１３には、ハンドル部３００の後述する背面側固定部材３０８の軸部３１８（図８参照）が挿通する。また、本体側挿通穴１１３には、本体側挿通穴１１３の周縁部からハンドル部３００を取り外す方向（カメラ本体１００の背面側の方向）に沿って延びる一定の深さの溝部１１４が設けられている。
【００１６】
溝部１１４のカメラ本体１００の背面側の延設端には、図４に示すように、溝部１１４の底面から本体側当接面１１１に向かってなだらかに湾曲する曲面部１１５が設けられている。なお、本実施形態では、曲率を有する曲面部１１５としているが、所定の傾斜角の傾斜面であってもよい。
【００１７】
図５乃至図２１を参照して、ハンドル部３００について説明する。図５は、ハンドル部３００を正面側の右斜め上方から見た斜視図である。図６は、ハンドル部３００を正面側の左斜め上方から見た斜視図である。
【００１８】
図５及び図６に示すように、ハンドル部３００は、ズームキー等のトリガ部３０１、ズーム部３０２、キーカバー３０３に覆われた操作キー（不図示）、アクセサリシュー３０４及び外部端子入力部３０５（図６参照）を備える。
【００１９】
また、ハンドル部３００は、外部マイクを保持するマイク保持部３０６、ハンドル部３００をカメラ本体１００に取り付けるための正面側固定部材３０７及び背面側固定部材３０８を備える。
【００２０】
本実施形態では、ハンドル部３００をカメラ本体１００の正面側と背面側の２カ所において、正面側固定部材３０７と背面側固定部材３０８を用いて、カメラ本体１００に対してハンドル部３００を着脱可能に固定する構造としている。なお、正面側固定部材３０７は、従来と同様に、カメラ本体１００のアクセサリシュー１００ａ（図３参照）に対して取り付けプレート３０７ａを光軸方向背面側から正面側に向けて挿入して締め付けることによりカメラ本体１００に固定される。
【００２１】
ハンドル部３００は、ハンドル部３００上側、下側及び背面側をそれぞれ覆う上側カバー３０９、下側カバー３１０及び背面側カバー３１１を備え、上側カバー３０９、下側カバー３１０及び背面側カバー３１１によりハンドル部３００の外装を形成している。上側カバー３０９には、前述したトリガ部３０１、ズーム部３０２、及びアクセサリシュー３０４が配置され、下側カバー３１０には、正面側固定部材３０７及び背面側固定部材３０８が配置される。
【００２２】
図７は、ハンドル部３００の内部構造を示す斜視図である。前述したトリガ部３０１、ズーム部３０２及び外部端子入力部３０５（図５参照）は、カメラ本体１００との間で電気信号のやりとりを行う。これらのトリガ部３０１、ズーム部３０２及び外部端子入力部３０５は、図７に示すように、ハンドル部３００内に設けられた電気信号伝達線３１２及び複数の基板３２４ａ〜３２４ｃを通じてハンドル側コネクタ３１３と電気的に接続されている。
【００２３】
電気信号伝達線３１２は、例えば、フレキシブルプリント配線基板等であり、ハンドル部３００の外部に露出することがないため、カメラ本体１００とハンドル部３００との電気的な接続に関して、外部に露出したワイヤを取り回す等の煩わしさがない。基板３２４ａ〜３２４ｃは、電気的接続がされると、基板上に実装された種々の素子が発熱し、ハンドル部３００内の熱源となる。また、ハンドル側コネクタ３１３は、コネクタ固定用板金３１４にビス（不図示）により固定されており、ハンドル側コネクタ３１３とコネクタ固定用板金３１４が一体となって下側カバー３１０にビスによって固定されている。
【００２４】
図８は、背面側固定部材３０８周辺の部分拡大図である。図９は、図８の要部断面図である。図８及び図９に示すように、背面側固定部材３０８は、軸部３１８が下側カバー３１０の背面側下側に形成された挿通穴３１５を挿通した状態で保持されている。軸部３１８には、バネ３１６が外挿され、バネ３１６は、下側カバー３１０と背面側固定部材３０８との間に保持されて、下側カバー３１０に対して背面側固定部材３０８を挿通穴３１５から突出する方向に付勢する。バネ３１６は、本発明の付勢部材の一例に相当する。
【００２５】
次に、図９乃至図１４を参照して、背面側固定部材３０８の保持構造について説明する。図１０（ａ）は背面側固定部材３０８の上面側から見た斜視図、図１０（ｂ）は背面側固定部材３０８の下面側から見た斜視図である。図１１は、背面側カバー３１１の斜視図である。図１２は、下側カバー３１０と背面側カバー３１１を組み合わせる前の状態を示す斜視図である。図１３は、下側カバー３１０と背面側カバー３１１を組み合わせた状態を示す斜視図である。図１４は、図１３の要部断面図である。
【００２６】
背面側固定部材３０８は、図１０に示すように、操作部３１７と、操作部３１７と同軸配置された軸部３１８とを有し、軸部３１８は、背面側固定部材３０８が下側カバー３１０に対して軸方向に移動する際のガイド軸となる。軸部３１８の下端には、カメラ本体１００に設けられた本体側固定部材１１２のネジ穴１１２ａに螺合することでハンドル部３００をカメラ本体１００に固定するネジ部３１９が形成されている。また、ネジ部３１９の操作部３１７側には、下側カバー３１０に設けられた後述する当接面３２２（図１１参照）に当接する当接面３２０が設けられている。
【００２７】
背面側カバー３１１には、図１１に示すように、背面側固定部材３０８の当接面３２０が当接することで、背面側固定部材３０８の突出量を規制する当接面３２２が設けられている。また、背面側カバー３１１の当接面３２２が設けられた部材には、Ｕ字状に開口するＵ字溝３２１が形成されている。
【００２８】
図１２及び図１３に示すように、下側カバー３１０には、背面側カバー３１１が組み立てられた状態で背面側カバー３１１のＵ字溝３２１の開口の開放側の一部を塞ぐ封止部３２３が設けられている。Ｕ字溝３２１の開口の開放側の一部が封止部３２３で塞がれることで、閉じた開口部が形成され、この開口部に、背面側固定部材３０８の軸部３１８が挿通される。
【００２９】
ここで、図１４に示すように、Ｕ字溝３２１の半円部の頂点から封止部３２３までの長さＬに対して、軸部３１８の直径Ｄ１が小さくなるように設定されている。長さＬは、ネジ部３１９が挿通可能な寸法に設定されている。これにより、背面側固定部材３０８の軸部３１８とＵ字溝３２１の閉じた開口部との間にクリアランスが形成され、背面側固定部材３０８がクリアランス内でカメラ本体１００の少なくとも光軸方向に揺動することが可能となる。
【００３０】
次に、図１、図９及び図１５を参照して、カメラ本体１００からハンドル部３００を取り外す方法について説明する。図１５は、ハンドル部３００をカメラ本体１００に取り付けた状態の要部断面図である。
【００３１】
本実施形態では、カメラ本体１００からハンドル部３００を取り外す際には、ハンドル部３００の正面側固定部材３０７と背面側固定部材３０８をそれぞれ緩む方向に回転させる。このとき、図１５に示すように、背面側固定部材３０８は、圧縮状態が開放されたバネ３１６の付勢力により、当接面３２０が背面側カバー３１１の当接面３２２に当接する位置まで押し上げられる（図９参照）。
【００３２】
この状態で、カメラ本体１００の光軸方向背面側に向けてハンドル部３００をカメラ本体１００に対してスライドさせることにより、ハンドル部３００をカメラ本体１００から取り外すことができる。なお、ハンドル部３００をカメラ本体１００に取り付ける場合には、この順序の逆の順序で操作を行えばよい。
【００３３】
図１６は、ハンドル部３００のカメラ本体１００の背面側の部分を底面側から見た図である。背面側固定部材３０８のネジ部３１９をカメラ本体１００側の本体側固定部材１１２のネジ穴１１２ａに螺合することで、ハンドル部３００の下側カバー３１０及びコネクタ固定用板金３１４がカメラ本体１００に締め付けられる。これにより、ハンドル部３００はカメラ本体１００に取り付けられ、固定される。
【００３４】
カメラ本体１００にハンドル部３００が固定された状態（図１，図２）において、ハンドル側コネクタ３１３は、カメラ本体１００の本体側コネクタ１５０（図３参照）と接する。このとき、ハンドル側コネクタ３１３に設けられたコネクタ端子部３１３ｂが本体側コネクタ１５０と電気的に接続される。
【００３５】
ところで、ハンドル部３００をカメラ本体１００から取り外す際に、背面側固定部材３０８のネジ部３１９とネジ穴１１２ａとの螺合が解除されると、背面側固定部材３０８は、バネ３１６の付勢力により突出位置に向けて移動する。
【００３６】
ところで、背面側固定部材３０８が軸方向に移動を始めた直後に、素早くハンドル部３００を取り外そうとした場合、背面側固定部材３０８のネジ部３１９が完全に退避せず、カメラ本体１００に引っ掛かる可能性がある。この場合、カメラ本体１００からハンドル部３００を無理に取り外そうとすると、カメラ本体１００やハンドル部３００が変形する等の不具合が生じる。
【００３７】
ここで、本実施形態では、例えば図１７に示すように、背面側固定部材３０８のネジ部３１９が長さＬ１だけカメラ本体１００ａ側に突出した状態でハンドル部３００を取り外そうとしても、ネジ部３１９の先端が溝部１１４に沿って取り外し方向に案内される。即ち、長さＬ１が溝部１１４の溝深さＬ２より短ければ、ハンドル部３００をカメラ本体１００から取り外すことができ、ネジ部３１９の引っ掛かりによりハンドル部３００やカメラ本体が変形するのを回避することができる。また、溝部１１４の曲面部１１５が背面側固定部材３０８のネジ部３１９をスムースにハンドル部３００の取り外し方向に導くためハンドル部３００の取り外しを容易にすることができる。
【００３８】
また、図１８に示すように、ネジ部３１９が長さＬ３（＞Ｌ２）だけ突出した状態でハンドル部３００を取り外そうとした場合、背面側固定部材３０８は、Ｕ字溝３２１の閉じた開口部と軸部３１８との関係から、光軸方向に揺動可能に保持されている。このため、ハンドル部３００に大きな荷重が加わるまでの間にネジ部３１９が少なくとも溝部１１４まで軸方向に移動するストロークを稼ぐことができる。
【００３９】
次に、図１９乃至図２１を参照して、ハンドル部３００に取り付けられたアクセサリシュー３０４（図５及び図６参照）について説明する。図１９は、ハンドル部３００に取り付けられたアクセサリシュー３０４の上面図である。図２０は、ハンドル部３００からアクセサリシュー３０４を取り外した状態を示す上面図である。図２１は、図１９のＣ−Ｃ線断面図である。
【００４０】
アクセサリシュー３０４は、ハンドル部３００の取り付け固定面４０１（図２０参照）に接するように設けられ、ビスによりハンドル部３００に固定されている。このとき、取り付け固定面４０１は、ハンドル部３００の上側カバー３０９の表面４０２よりも上側に配置され、これにより、取り付け固定面４０１（アクセサリシュー３０４の底面）と上側カバー３０９の表面４０２との間に空間Ｖが形成される（図２１参照）。
【００４１】
アクセサリシュー３０４の周囲の壁部と上側カバー３０９との間には、空間Ｖに連通する切り欠き部４０４ａ，４０４ｂが設けられている。本実施形態では、切り欠き部４０４ａ，４０４ｂは、外部アクセサリの装着方向と直交するアクセサリシュー３０４の幅方向両側に互いに対向して設けられている。また、上側カバー３０９の表面４０２には、アクセサリシュー３０４の略四隅の角部を受ける角受け部４０５が設けられている。
【００４２】
次に、図２１を参照して、ハンドル部３００の伝熱について説明する。ハンドル部３００内部では、前述した複数の基板３２４ａ〜３２４ｃで発生した熱がハンドル部３００内部に滞留する。通常、この熱によりハンドル部３００上方が熱せられ、矢印Ｗ１に示すように、上側カバー３０９に熱が伝達して上側カバー３０９の表面４０２の温度が上昇する。さらに、この熱がアクセサリシュー３０４に伝達し、アクセサリシュー３０４の温度が上昇する。
【００４３】
しかし、本実施形態では、アクセサリシュー３０４と取り付け固定面４０１の接触範囲が狭くなるようにしているため、アクセサリシュー３０４への熱の伝達が抑制できる。
【００４４】
また、取り付け固定面４０１と上側カバー３０９の表面４０２との間に空間Ｖが形成されている。このため、基板３２４ａ〜３２４ｃで発生した熱により上側カバー３０９の面４０２の温度が上昇しても、空間Ｖで熱せされた空気は自然対流により矢印Ｗ２方向に流れて切り欠き部４０４ａ，４０４ｂから矢印Ｗ３方向に放出され、外気が空間Ｖに流入する。これにより、ハンドル部３００の内部で発生する熱がアクセサリシュー３０４に伝達することを抑制することができる。
【００４５】
一方、アクセサリシュー３０４は、外部アクセサリが装着された状態において、過大な荷重を加えられる可能性があるため、静荷重や衝撃に対して強い構成である必要がある。本実施形態では、角受け部４０５がアクセサリシュー３０４の四隅の角部を受けるように設けられているため、装着された外部アクセサリに対して、静荷重や衝撃が加えられたとしても、従来の構造と遜色ない堅牢性が確保できる。
【００４６】
以上説明したように、本実施形態では、背面側固定部材３０８のネジ部３１９が完全に退避してない状態でハンドル部３００を取り外そうとした場合でも、カメラ本体１００やハンドル部３００が変形することなく容易にハンドル部３００を取り外すことができる。
【００４７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４８】
１００  カメラ本体
１１２ａ  ネジ穴
１１３  本体側挿通穴
１１４  溝部
３００  ハンドル部
３０８  背面側固定部材
３１９  ネジ部
【図１】
2019008054.tif 000003
【図２】
2019008054.tif 000004
【図３】
2019008054.tif 000005
【図４】
2019008054.tif 000006
【図５】
2019008054.tif 000007
【図６】
2019008054.tif 000008
【図７】
2019008054.tif 000009
【図８】
2019008054.tif 000010
【図９】
2019008054.tif 000011
【図１０】
2019008054.tif 000012
【図１１】
2019008054.tif 000013
【図１２】
2019008054.tif 000014
【図１３】
2019008054.tif 000015
【図１４】
2019008054.tif 000016
【図１５】
2019008054.tif 000017
【図１６】
2019008054.tif 000018
【図１７】
2019008054.tif 000019
【図１８】
2019008054.tif 000020
【図１９】
2019008054.tif 000021
【図２０】
2019008054.tif 000022
【図２１】
2019008054.tif 000023